(57)【要約】本発明は、流動可能な製品を保持する容器、特に飲料容器のためのディスペンスクロージャーに関する。このディスペンスクロージャーは、外周リムからジャケット（１１０）の下方に延び、容器の開口部に対して締め付けることができるカバー（１２０）を備えたクロージャー本体（１００）と、容器の開口に連通したクロージャー本体（１００）の上面の出口開口（１２６）と、クロージャー本体（１００）の出口開口（１２６）を開閉するためのクロージャー部品（２００）と、クロージャー本体（１００）の出口開口（１２６）の周りに配置されたクロージャー本体（１００）のドーム状隆起部分（１２４）とを含む。クロージャー本体（１００）には、ドーム状隆起部分（１２４）の外側領域を少なくとも部分的に覆うカバー部材（１５０）が設けられている。カバー部材（１５０）の材料は、ドーム状隆起部分（１２４）及び／またはカバー（１２０）の材料及び／またはクロージャー本体（１００）の材料よりも軟質である。本発明により、ディスペンスクロージャーの密閉性が高くなり、使用者がディスペンスクロージャーに直接触れた時の感触が良くなった。
2005503302.tif 000002
【特許請求の範囲】
【請求項１】
ある種の自由流動物質を保持する容器、特に飲料容器のためのディスペンスクロージャー（１０）であって、
前記容器の開口に固定することができるケーシング（１１０）が外周縁から延出したカバー（１２０）を有するクロージャー本体（１００）と、
前記容器の前記開口に連通した、前記クロージャー本体（１００）の上面の出口開口（１２６）と、
前記クロージャー本体（１００）の前記出口開口（１２６）を開閉するためのクロージャー部品（２００）と、
前記クロージャー本体（１００）の前記出口開口（１２６）の周りに位置する前記クロージャー本体（１００）のドーム状突出部（１２４）とを含み、
前記クロージャー本体（１００）が、前記ドーム状突出部（１２４）の外側領域を少なくとも部分的に覆うスリーブ部材（１５０）を備えており、そのスリーブ部材（１５０）の材料が、前記ドーム状突出部（１２４）及び／または前記カバー（１２０）の材料及び／または前記クロージャー本体（１００）の材料よりも軟質であることを特徴とするディスペンスクロージャー。
【請求項２】
前記出口開口（１２６）が、前記クロージャー本体（１００）の前記上面に不正開封防止クロージャー（３００；４００）を備えていることを特徴とする請求項１に記載のディスペンスクロージャー。
【請求項３】
前記不正開封防止クロージャー（３００；４００）が前記ディスペンスクロージャー（１０）の一体部分であることを特徴とする請求項２に記載のディスペンスクロージャー。
【請求項４】
前記不正開封防止クロージャー（３００）が、前記スリーブ部材（１５０）の材料から形成され、その一体部分を形成することを特徴とする請求項１乃至３に記載のディスペンスクロージャー。
【請求項５】
前記不正開封防止クロージャー（３００）が、細いライン（３０２）によって前記スリーブ部材（１５０）に接続されていることを特徴とする請求項４に記載のディスペンスクロージャー。
【請求項６】
前記不正開封防止クロージャー（４００）が、前記クロージャー本体（１００）の材料から形成され、その一体部分を形成することを特徴とする請求項１乃至３に記載のディスペンスクロージャー。
【請求項７】
前記不正開封防止クロージャー（４００）が、細いライン（４０２）によって前記クロージャー本体（１００）に接続されていることを特徴とする請求項６に記載のディスペンスクロージャー。
【請求項８】
前記スリーブ部材（１５０）が、熱可塑性ポリエステル（ＴＰＥ）及び／または低密度ポリエチレン（ＬＤＰＥ）、またはこれらの材料の組み合わせからなることを特徴とする請求項１またはそれに続く請求項の１つに記載のディスペンスクロージャー。
【請求項９】
前記スリーブ部材（１５０）が、ゴム、シリコーン、及び／または軟質プラスチック、またはこれらの材料の組み合わせからなることを特徴とする請求項１またはそれに続く請求項の１つに記載のディスペンスクロージャー。
【請求項１０】
前記クロージャー本体（１０）が、ポリプロピレン（ＰＰ）またはポリエチレン（ＰＥ）からなることを特徴とする請求項１またはそれに続く請求項の１つに記載のディスペンスクロージャー。
【請求項１１】
前記クロージャー本体（１００）の前記カバー（１２０）が、径方向外側の環状肩（１２２）及び径方向内側の前記ドーム状突出部（１２４）を含むことを特徴とする請求項１またはそれに続く請求項の１つに記載のディスペンスクロージャー。
【請求項１２】
前記ドーム状突出部（１２４）の直径が、その高さに対して段階的になっていて、前記ドーム状突出部（１２４）が、その外側端部に前記出口開口（１２６）を有することを特徴とする請求項１またはそれに続く請求項の１つに記載のディスペンスクロージャー。
【請求項１３】
前記スリーブ部材（１５０）が、前記ドーム状突出部（１２４）の外側領域を実質的に完全に覆うことを特徴とする請求項１またはそれに続く請求項の１つに記載のディスペンスクロージャー。
【請求項１４】
前記スリーブ部材（１５０）が、前記ドーム状突出部（１２４）の上側領域のみを覆うことを特徴とする請求項１またはそれに続く請求項の１つに記載のディスペンスクロージャー。
【請求項１５】
前記クロージャー部品（２００）が、蝶番（２９０）によって前記クロージャー本体（１００）に回動可能に一体的に取り付けられていることを特徴とする請求項１またはそれに続く請求項の１つに記載のディスペンスクロージャー。
【発明の詳細な説明】
【０００１】
本発明は、自由に流動する物質を含む容器、特に飲料容器のディスペンスクロージャーに関する。
【０００２】
このようなディスペンスクロージャーの様々なデザインが従来から知られており、様々な材料、特にガラスやプラスチックから形成された飲料容器に用いられている。
【０００３】
特に近年、このタイプの飲料容器及び別の用途に用いられるディスペンスクロージャーに対する要求が高まっている。例えば、スポーツの時に飲料容器を携帯するときなど、飲料容器に多くの物質が含まれている場合のディスペンスクロージャーの密閉性に問題が生じ、飲料容器の使用者が、特に、ディスペンスクロージャーに直接口をつけて飲む場合に、可能な限り快適に飲料を自由に飲めるのが好ましい。
【０００４】
従って、本発明の目的は、自由に流動する物質を含む容器、特に上記した飲料容器に用いる改善されたディスペンスクロージャーを提供することにある。このディスペンスクロージャーは、密閉性が改善され、直接接触したときにその感触がよい。
【０００５】
本発明のこの目的は、ある種の自由流動物質を受容する容器、特に飲料容器のためのディスペンスクロージャーであって、容器の開口に固定することができるケーシングが外周縁から延びたカバーを有するクロージャー本体と、容器の開口に連通した、クロージャー本体の上面の出口開口と、クロージャー本体の出口開口を開閉するためのクロージャー部品と、クロージャー本体の出口開口の周りに位置するクロージャー本体のドーム状突出部とを含み、クロージャー本体が、ドーム状突出部の外側領域を少なくとも部分的に覆うスリーブ部材を備えており、そのスリーブ部材の材料が、ドーム状突出部及び／またはカバーの材料及び／またはクロージャー本体の材料よりも軟らかい。
【０００６】
本発明のディスペンスクロージャーでは、例えば、使用者が飲む時に、軟質材料からなるスリーブ部材に実質的すなわち限定的に接触した時の接触感覚が大幅に改善された。更に、ディスペンスクロージャーの密閉性が、スリーブ部材に用いられる軟質材料によって改善された。なぜなら、出口開口を閉止するクロージャー部品は、スリーブ部材との直接の接触で出口開口を密閉するのが好ましい。更に、高い密閉性を確保するように部品の寸法が選択されるが、軟質材料は圧縮性が高いため、過度に高い製造公差の精度は必要でない。必要に応じて、クロージャー本体の出口開口のために、クロージャー形態の不正開封防止手段を追加的に設けることもできる。このような場合、容器の内容物の品質を維持するために、最初に容器を開封するまで容器内への空気すなわち酸素の侵入が防止される。この不正開封防止手段は、スリーブ部材と同じ材料及び／またはクロージャー本体の材料から形成することができる。従って、このようにして容器の内容物の高い品質保証を得るのに加えて、ディスペンスクロージャーの大量生産を大幅に単純化してそのコストを低減することが可能である。従って、本発明は、軟質材料からなるスリーブ部材を設けることで上記した目的を達成し問題を解消するという驚くべき発見に基づいている。
【０００７】
軟質材料からなるスリーブ部材を有するディスペンスクロージャーの更なる利点は防音である。なぜなら、蓋、特に蝶番で連結された蓋を開閉するときに不快なノイズが発生しない。これは、例えば、図書館または講義中などの静かな環境でできる限りそっと容器を開けたいときに特に有効である。
【０００８】
スリーブ部材の好適な材料として、具体的に、熱可塑性ポリマー、熱可塑性ポリエステル（ＴＰＥ）、高圧ポリマー（低密度ポリエチレン：ＬＤＰＥ）を挙げることができるが、他の軟質プラスチック、ゴム、及び／またはシリコーンを用いることもできる。これらの材料は、スリーブ部材の所望の軟度に設定することができ、かつスリー部材、従ってディスペンスクロージャーの長期の使用に耐えるのに十分な安定性も有する。
【０００９】
もちろん、本発明の目的から逸脱することなく上記した材料を２種類以上組み合わせてスリーブ部材を形成することも可能である。
【００１０】
クロージャー本体は、その上面すなわち縁の上に突き出たドーム状突出部と一体に形成して、使用者のための飲用スタブとして用いることができるようにするのが好ましい。更に、ドーム状突出部は、その直径を、その外側領域に向かって径が小さくなるようにその高さに対して段階的にし、その外側端部に開口を有するのが好ましい。
【００１１】
好適な一実施形態では、スリーブ部材は、ドーム状突出部の外側領域を、適当な場合は開口及び／またはクロージャー本体の材料から形成された不正開封防止クロージャーを含め、実質的に完全に覆うようにデザインされる。これにより、使用者の口に接触する領域全体がスリーブ部材によって覆われるため、快適な接触の感覚を与えることができる。更に、クロージャー部品に対応する密閉用部品をスリーブ部材の様々な位置で係合させて密閉できるため、クロージャー部品の構造を様々にすることができる。例えば、不正開封防止部品が開口を密閉する引き剥がしタブとしてデザインされる場合、サイクリストなどの使用者が、自転車を運転しているときに手を使わないで歯でタブを引き剥がして容器を開封することができる。
【００１２】
しかしながら、スリーブ部材が、ドーム状突出部の特定の領域、特に、ドーム状突出部の上側領域のみを覆うようにすることもできる。この構造、特にドーム状突出部の大きさは、使用目的に適合するように当業者が調整することができる。
【００１３】
これとは対照的に、スリーブ部材が、ドーム状突出部、所望に応じてその開口、これに加えてクロージャー本体の他の部分も覆うこともできる。
【００１４】
好適な実施形態では、クロージャー部品は、蝶番によってクロージャー本体に回動可能に一体的に取り付けられる開き蓋である。従って、クロージャー部品とクロージャー本体が、容器に取り付けられた後にクロージャー部品が紛失することがないプラスチック材料から射出成形された単一体を形成する。
【００１５】
もちろん、開き蓋に連結されるクロージャー部品の替わりに、分離したクロージャー部品を設けることも可能である。更に、本発明の範囲から逸脱することなく、スナップ動作機構やねじ結合によってクロージャー部品をクロージャー本体に固定するなど、他のあらゆる可能なクロージャー方法を用いることができる。
【００１６】
本発明は、ディスペンスクロージャーの例示的な実施形態の添付の概略図を参照しながら以下の詳細な説明を読むと良く理解できるであろう。
【００１７】
図１は、自由流動物質（free-flowing substances）を受容する容器に用いるための、ディスペンスクロージャー１０を示す。ディスペンスクロージャー１０は、クロージャー本体１００と、蓋としてデザインされたクロージャー部品２００を含む。クロージャー本体１００とクロージャー部品２００は蝶番２９０によって互いに連結され、クロージャー部品２００が、図１に示されているようにクロージャー本体が開いた位置からクロージャー本体が閉じる位置まで蝶番２９０の軸を中心に１８０度回動できるようになっている。蝶番２９０は、一体型蝶番としてデザインされている。
【００１８】
クロージャー本体１００はその上部にカバー１２０を備え、その外周縁からは横方向にケーシングが延びている。ケーシング１１０は実質的に円筒状のデザインであり、雌ねじ１１２を備えている。この雌ねじ１１２を、対応する雄ねじを備えた容器（不図示）に螺合させて、クロージャー本体をその容器に固定することができる。
【００１９】
ねじ込み接続の替わりに、他の手段、例えばスナップ嵌めを用いてクロージャー本体を容器に接続することができる。また、ディスペンスクロージャーを直接、容器と一体に形成することも可能である。
【００２０】
図１に示されている実施形態では、水平ではなくやや傾斜したリング状にデザインされた密閉用リップ１１４が、クロージャー本体１００のカバー１２０の外周部に近接して、ケーシング１１０の上部領域に設けられており、これにより、クロージャー部品１００が容器に対してねじ締めされると、密閉用リップ１１４が容器の開口の上面を押圧してシールが形成される。
【００２１】
ここに示されている実施形態では、密閉用リップ１１４は、クロージャー本体と一体に形成されているが、ディスペンスクロージャー１０のクロージャー本体１００及びクロージャー部品２００が硬質プラスチックから形成されているのに対し、軟質材料、この場合はシリコーンから形成されている。しかしながら、別の実施形態では、製造工程を単純にするべく密閉用リップ１１４をクロージャー本体１００と同じ材料から形成することができることを理解されたい。
【００２２】
クロージャー本体１００のカバー１２０は、実質的に環状の肩１２２を備えている。この環状肩から、その長手方向の中心軸に対して径方向内側領域が、環状肩を越えて外側にドーム状に段階型に延びている。ドーム状突出部１２４の直径は、その高さに対して段階的になっている。ドーム状突出部１２４は、その外側端部に出口開口１２６を有する。
【００２３】
ドーム状突出部は、第２の段（下段）１３４の上側に延在する、カバー１２０に対する第１の段（上段）１２８を含む。段１２８及び１３４は、実質的に円筒状であって類似の長さを有するが、第１の段１２８の直径の方が小さい。第１の段１２８と第２の段１３４の間の移行部及び第２の段と外面上の環状肩１２２との移行部は曲線的であって尖った縁が存在しない。第１の段１２８の上部には、径方向内向きに傾斜した出口開口１２６の末端リム１３６が存在する。末端リム１３６の上部は実質的に水平である。
【００２４】
カバー１２０のドーム状突出部１２４の内部領域も同様に段階的になっている。ドーム状突出部で最も内径が小さい出口開口１２６の内径の下側では、ドーム状突出部の内径が、下方すなわち内側に向かって大きくなっている。末端リム１３６の直下で第１の内径に拡張した後、内部領域は、第１の段の軸の全長（高さ方向において）に亘って実質的に円筒状に延び、概ね第１の段１２８と第２の段１３４との移行部の高さで更に広がっている。
【００２５】
可撓性チューブホルダー１８０の内部領域において、第１の段１２８の下端部が環状のストッパー面１３０を形成すると共に、第２の段１３４の上部領域に環状溝１３２を画定している。環状溝１３２の下側の第２の段１３４の内部領域は切頭円錐形状を有し、下方に向かって広がっており、その下端部で、水平に配置されたカバー１２０の環状肩１２２の下側と一体になっている。
【００２６】
クロージャー部品２００は、実質的に蓋の形にデザインされており、ヘッドプレート２１０とそのヘッドプレートから延びた側部領域２２０を含む。この側部領域２２０は、クロージャー部品２００が閉じた位置でクロージャー本体１００のケーシング１１０と実質的に同一平面上に延在するようにデザインされている。
【００２７】
更に、クロージャー部品２００は、蝶番２９０の反対側に品質保証部材１６０を受容するための溝２６０を有する。この溝２６０（図１に示されているクロージャー部品２００の位置では下側、従って閉じた位置では上側に位置する）は内側に向かって凹状であり、その凹部内に品質保証部材１６０を押込んで開封することができるようになっている。品質保証部材１６０のための溝２６０は、その上下の領域でラグ２６２と突起２６４によって画定されている。
【００２８】
図１に示されている実施形態では、熱可塑性ポリエステル（ＴＰＥ）からなるスリーブ部材１５０が、カバー１２０のドーム状突出部１２４の外側領域に実質的に全体に亘って延在し、そのドーム状突出部１２４の外形に従っている。
【００２９】
熱可塑性ポリエステルからなるスリーブ部材１５０、ドーム状突出部１２４、並びにクロージャー部品２００のヘッドプレート２１０の内側に設けられた実質的に円形のデザインのピンチ部材２８０の寸法が、クロージャー部品２００が実質的にノイズもなく閉じられたときに、スリーブ部材１５０が配置されたドーム状突出部１２４の第１の段１２８にピンチ部材２８０が係合して出口開口１２６が閉じられ、外部に対して密閉されるように互いに一致している。
【００３０】
図１に示されている実施形態では、第１の段１２８の高さにおけるスリーブ部材１５０の外径は、圧迫されていない状態で、クロージャー部品２００の円形ピンチ部材２８０の内径よりも僅かに大きいため、開き蓋としてデザインされたクロージャー部品２００が閉じられて、これによりスリーブ部材１５０が僅かに圧迫されてピンチ部材２８０とスリーブ部材１５０がプレス嵌めされ、個々の部品のジオメトリ及び／または寸法の多少の製造誤差があったとしても、この位置で確実に密閉される。このような製造誤差は、特に大量生産では、少なくともある程度は不可避なものであって、より厳密な誤差条件を満たすようにするためには比較的高価な製造方法が必要になる。
【００３１】
単純に完全にするための理由で、図１に示されているディスペンスクロージャーの実施形態を、必要に応じて、可撓性ディスペンスチューブをクロージャー本体１００の内部領域に挿入して、その可撓性ディスペンスチューブがドーム状突出部１２４の内部領域に確実に固定され、その外端部が出口開口１２６から突き出るようにして自由流動物質を更に容易に取り出せるようにデザインすることも可能であることを理解されたい。
【００３２】
図２は、図１に示されている実施形態に実質的に同一のディスペンスクロージャーの別の実施形態を示す。
【００３３】
しかしながら、図１に示されている実施形態とは異なり、スリーブ部材１５０が、ドーム状突出部１２４の上側領域のみ、すなわちドーム状突出部１２４の第１の段１２８と、その第１の段１２８と第２の段１３４との移行部を覆うようにデザインされている。更に、この実施形態では、スリーブ部材１５０は低密度ポリエチレン（ＬＤＰＥ）から形成される。
【００３４】
図３に示されている実施形態では、ディスペンスクロージャーは、図１に示されている実施形態と実質的に同様にデザインされている。しかしながら、クロージャー本体１００の上面の出口開口１２６に不正開封防止クロージャー３００が設けられている。この不正開封防止クロージャー３００は、ディスペンスクロージャー１０の一体部分を形成する。このため、不正開封防止クロージャー３００は比較的軟質のスリーブ部材１５０の材料から形成される。ドーム状突出部１２４の出口開口１２６の縁に従った細いライン３０２によって、出口開口１２６を密閉する不正開封防止クロージャー３００がスリーブ部材１５０に接続されている。不正開封防止クロージャー３００に接続された引き剥がしタブ３０４を設けるのが有利である。引き剥がしタブ３０４は、不正開封防止クロージャー３００と一体形成されるのが好ましい。引き剥がしタブ３０４を設けることにより、例えば、自転車レースなどで手を使うことができない時でも、この引き剥がした部３０４を引き剥がして容器を容易に開封することができる。
【００３５】
従って、不正開封防止部材３００は、容器またはボトルを最初に開封するまで容器の内容物の品質が空気すなわち酸素によって低下するのを防止する。この場合も、スリーブ部材１５０及び不正開封防止クロージャー３００は共に、熱可塑性ポリエステル（ＴＰＥ）及び／または低密度ポリエチレン（ＬＤＰＥ）から、またはゴム、シリコーン、及び／または軟質プラスチックから、またはこれらの材料の組み合わせから形成することができる。
【００３６】
図４に示されているディスペンスクロージャー１０の実施形態は図３に示されている実施形態に類似しているが、不正開封防止クロージャー４００がクロージャー本体１００の材料から形成され、プラスチック射出成形により一体部品としてクロージャー本体１００と共に成形される点が異なる。この不正開封防止クロージャー４００は、上部或いは外部に露出しており、出口開口１２６の環状の縁に従った細いライン４０２によってクロージャー本体１００に接続されるか、またはクロージャー本体１００と一体に形成される。図３と同様に不正開封防止クロージャー４００の上面から斜めに突き出た引き剥がしタブ４０４は、クロージャー本体１００と同じ材料から形成され、ディスペンスクロージャー１０に接続された容器の開封を容易にすると共に、開封するまでは、容器の出口開口１２を気密封止して容器の内容物の品質を維持する。クロージャー本体１００は、射出成形により好ましくはポリプロピレン（ＰＰ）またはポリエチレン（ＰＥ）から、引き剥がしタブ４０４と一体に形成される。
【００３７】
もちろん、特に、自転車などのある種のスポーツなどで容器を手で開封できない或いは手で開封するのが困難な時のために不正開封防止手段４００が設けられた容器が用いられる場合、必要に応じて、引き剥がしタブ４０４がスリーブ部材１５０の軟質材料で追加的に覆われた、クロージャー本体１００の材料からなる不正開封防止手段４００も可能である。
【００３８】
図５は、図３及び図４に示されたディスペンスクロージャーの全体像を示す。また、不正開封防止クロージャー４００及び引き剥がしタブ４０４が存在せず、代わりにクロージャー本体１００の出口開口１２６が存在すると考えれば、図１及び図２に示されているディスペンスクロージャーもこの図５のディスペンスクロージャーに相当する。
【００３９】
参照符号
１０    ディスペンスクロージャー
１００    クロージャー本体
１１０    ケーシング
１１２    雌ねじ
１１４    密閉用リップ
１２０    カバー
１２２    環状肩
１２４    ドーム状突出部
１２６    出口開口
１２８    第１の段
１３０    環状ストッパー面
１３２    環状溝
１３４    第２の段
１３６    末端リム
１５０    スリーブ部材
１６０    品質保証部材
２００    クロージャー部品
２１０    ヘッドプレート
２２０    側部領域
２６０    溝
２６２    ラグ
２６４    突起
２８０    ピンチ部材
２９０    蝶番
３００    不正開封防止クロージャー
３０２    細いライン
３０４    引き剥がしタブ
４００    不正開封防止クロージャー
４０２    細いライン
４０４    引き剥がしタブ
【図面の簡単な説明】
【００４０】
【図１】開いた状態のディスペンスクロージャーの側面図である。
【図２】開いた状態のディスペンスクロージャーの第２の実施形態の側面図である。
【図３】開いた状態のディスペンスクロージャーの第３の実施形態の側面図である。
【図４】開いた状態のディスペンスクロージャーの第４の実施形態の側面図である。
【図５】図４のディスペンスクロージャーの斜視図である。
【国際公開パンフレット】
2005503302.tif 000003
2005503302.tif 000004
2005503302.tif 000005
2005503302.tif 000006
2005503302.tif 000007
2005503302.tif 000008
2005503302.tif 000009
2005503302.tif 000010
2005503302.tif 000011
2005503302.tif 000012
2005503302.tif 000013
2005503302.tif 000014
2005503302.tif 000015
2005503302.tif 000016
2005503302.tif 000017
2005503302.tif 000018
2005503302.tif 000019
2005503302.tif 000020
2005503302.tif 000021
【手続補正書】
【提出日】平成15年3月20日(2003.3.20)
【手続補正１】
【補正対象書類名】特許請求の範囲
【補正対象項目名】全文
【補正方法】変更
【補正の内容】
【特許請求の範囲】
【請求項１】
ある種の自由流動物質を保持する容器、特に飲料容器のためのプラスチックから形成されたディスペンスクロージャー（１０）であって、
前記容器の開口に固定することができるケーシング（１１０）が外周縁から延出したカバー（１２０）を有するクロージャー本体（１００）と、
前記カバー（１２０）の実質的に水平な環状肩（１２２）であって、その長手方向の中心軸に対してその環状肩（１２２）の径方向内側領域からドーム状突出部が外向きに延びており、そのドーム状突出部がその外側端部に、前記容器の前記開口と連通した出口開口（１２６）を備えている、前記環状肩（１２２）と、
前記ドーム状突出部の外側領域を少なくとも部分的に覆う、前記ドーム状突出部の材料よりも軟質の材料から形成されたスリーブ部材（１５０）と、
前記出口開口（１２６）のためのクロージャー部品（２００）とを含み、
前記ドーム状突出部が飲用スタブ（１２４）を形成し、その出口開口（１２６）が、径方向に内向きに曲げられた末端縁（１３６）を有しており、その末端縁（１２６）の上部領域が実質的に水平であり、熱可塑性ポリエステルから形成された前記スリーブ部材（１５０）、前記飲用スタブ（１２４）、及び前記クロージャー部品（２００）のヘッドプレート（２１０）の内側に設けられた円筒状ピンチ部材（２８０）の寸法が、前記クロージャー部品（２００）の閉止位置で、実質的にノイズを発生することなく前記スリーブ部材（１５０）が設けられた前記飲用スタブ（１２４）に前記ピンチ部材（２８０）が係合するように互いに一致していることを特徴とするディスペンスクロージャー。
【請求項２】
前記飲用スタブ（１２４）の直径が、その高さに対して段階的になっていることを特徴とする請求項１に記載のディスペンスクロージャー。
【請求項３】
前記飲用スタブ（１２４）の第１の上側の段（１２８）が、前記カバー（１２０）に対して、第２の下側の段（１３４）の上に配置されていることを特徴とする請求項１または請求項２に記載のディスペンスクロージャー。
【請求項４】
前記飲用スタブ（１２４）の前記各段（１２８、１３４）が実質的に円筒状のデザインであることを特徴とする請求項１乃至請求項３のいずれかに記載のディスペンスクロージャー。
【請求項５】
前記飲用スタブ（１２４）の前記２つの段（１２８、１３４）が類似の長さであるが、前記第１の段（１２８）の直径の方が小さいことを特徴とする請求項１乃至請求項４のいずれかに記載のディスペンスクロージャー。
【請求項６】
前記飲用スタブ（１２４）の前記第１の段（１２８）と前記第２の段（１３４）の間の外側移行部、及び前記飲用スタブの前記第２の段（１３４）と前記環状肩（１２２）の間の外側移行部に丸みが付けられていることを特徴とする請求項１乃至請求項５のいずれかに記載のディスペンスクロージャー。
【請求項７】
前記スリーブ部材（１５０）が、前記第１の段（１２８）と、前記飲用スタブ（１２４）の前記第１の段（１２８）と前記第２の段（１３４）との間の移行部のみを覆っていることを特徴とする請求項１に記載のディスペンスクロージャー。
【請求項８】
前記スリーブ部材（１５０）が、実質的に前記飲用スタブ（１２４）の外側領域全体に亘って延在し、その飲用スタブ（１２４）の形状に従っていることを特徴とする請求項１に記載のディスペンスクロージャー。
【請求項９】
前記飲用スタブ（１２４）の内側領域が同様に段階的になっていて、前記飲用スタブ（１２４）の内径が、内径が最小の前記出口開口（１２６）の下で内側方向に向かって増大していることを特徴とする請求項１に記載のディスペンスクロージャー。
【請求項１０】
前記出口開口（１２６）の前記末端縁（１３６）の下側の第１の内径拡張部の下側に位置する前記飲用スタブ（１２４）の内側領域が、前記第１の段（１２８）の軸の全長に亘って実質的に円柱状に延在し、概ね前記第１の段（１２８）と前記第２の段（１３４）の間の外側移行部の高さにおいて拡張していることを特徴とする請求項９に記載のディスペンスクロージャー。
【請求項１１】
前記第２の段（１３４）の内側領域が、環状溝（１３２）の下側から下方に向かって拡張した切頭円錐状であって、その下端部が前記カバー（１２０）の水平な前記環状肩（１２２）と一体になっていることを特徴とする請求項１乃至請求項１０のいずれかに記載のディスペンスクロージャー。
【請求項１２】
前記飲用スタブ（１２４）の内側領域において、可撓性チューブホルダー（１８０）の前記第１の段（１２８）の下端部が、環状ストッパー面（１３０）を形成すると共に、前記第２の段（１３４）の上側領域の環状溝（１３２）を画定していることを特徴とする請求項１乃至請求項１１のいずれかに記載のディスペンスクロージャー。
【請求項１３】
可撓性ディスペンスチューブを前記クロージャー本体（２００）の内側領域内に挿入し、前記可撓性チューブを前記飲用スタブ（１２４）の内部領域に確実に固定して、前記出口開口（１２６）から前記可撓性ディスペンスチューブの外側端部を突き出すことができ、これにより、前記自由流動物質を取り出し易くなることを特徴とする請求項１乃至請求項１２のいずれかに記載のディスペンスクロージャー。
【請求項１４】
前記クロージャー部品（２００）が、実質的に蓋の形でデザインされ、前記ヘッドプレート（２１０）とそのヘッドプレート（２１０）から延びた側部領域（２２０）を含み、前記クロージャー部品（２００）の閉止位置では、前記側部領域（２２０）が、前記クロージャー本体（１００）の前記ケーシング（１１０）と実質的に同一面に延在することを特徴とする請求項１に記載のディスペンスクロージャー。
【請求項１５】
前記クロージャー本体（１００）の前記出口開口（１２６）を開閉するための前記クロージャー部品（２００）として開き蓋が、一体型蝶番（２９０）によって前記クロージャー本体（１００）に回動可能に一体的に取り付けられていることを特徴とする請求項１４に記載のディスペンスクロージャー。
【請求項１６】
前記クロージャー部品（２００）が、前記蝶番（２９０）の反対側に品質保証部材（１６０）を受容するための溝（２６０）を備えており、その溝（２６０）が上側領域で内側に凹状になっているため、前記クロージャー部品（２００）の閉止位置で、前記品質保証部材をこの凹部領域に対して押圧して開封ができることを特徴とする請求項１５に記載のディスペンスクロージャー。
【請求項１７】
前記品質保証部材のための前記溝（２６０）が、その上側及び下側領域でラグ（２６２）及び突起（２６４）によって画定されていることを特徴とする請求項１６に記載のディスペンスクロージャー。
【国際調査報告】
2005503302.tif 000022
2005503302.tif 000023
2005503302.tif 000024
2005503302.tif 000025
2005503302.tif 000026
2005503302.tif 000027
2005503302.tif 000028
2005503302.tif 000029
2005503302.tif 000030
2005503302.tif 000031